(57)【特許請求の範囲】
【請求項１】
コージェネレーション用発電装置と、前記発電装置からの発電電力を配電線に系統連系するためのインバータと、前記発電装置から発生する熱を回収して温水として貯えるための貯湯装置と、前記発電装置を運転制御するための運転制御手段と、を具備するコージェネレーションシステムの運転制御装置であって、
前記運転制御手段は、電力が供給される電力負荷の電力値を利用して前記発電装置を運転制御するとともに、設定した時間帯情報に基づいて前記発電装置を運転制御し、前記時間帯情報として起動禁止時間帯を設定したときには前記発電装置の継続的稼働運転は許容するが、前記発電装置の起動運転を禁止し、また前記時間帯情報として稼働禁止時間帯を設定したときには前記発電装置の継続的稼働運転及び起動運転を禁止することを特徴とするコージェネレーションシステムの運転制御装置。
【発明の詳細な説明】
【０００１】
【発明の属する技術分野】
本発明は、コージェネレーションシステムを運転制御する運転制御装置、更に詳しくは、コージェネレーションシステムの耐久性や起動ロス等を考慮して起動、稼働停止する運転制御装置に関する。
【０００２】
【従来の技術】
一般に、コージェネレーションシステムは、エンジン、燃料電池等によって電力を発生する発電装置と、発電装置にて発生した電力を配電線に系統連系するためのインバータと、発電装置から発生する熱を回収して温水として貯える貯湯装置と、発電装置を運転制御するための運転制御手段と、を備えている。このシステムでは、運転制御手段は電力負荷に対応して発電装置を運転制御し、電力負荷が大きくなると発電装置が起動し、発電装置からの発電電力が電力負荷に供給される一方、電力負荷が小さくなると発電装置の稼働が停止し、このように発電装置の運転を停止してシステムの運転効率を高めている。
【０００３】
【発明が解決しようとする課題】
このようなコージェネレーションシステムでは、耐久性、経済性の観点からすると、発電装置の起動、稼働停止を頻繁に行うことは望ましくなく、変動する電力負荷に応答して短時間に起動、稼働停止を繰り返し行うと、システム全体の耐久性が低下し、その寿命が短くなる。また、起動、稼働停止の繰り返しによって起動ロスがかさみ、経済性が低下する。
【０００４】
本発明の目的は、頻繁な起動、稼働停止を回避して発電装置を運転制御し、これによってシステム全体の耐久性の低下や経済性の低下を抑えることができるコージェネレーションの運転制御装置を提供することである。
【００１４】
本発明は、コージェネレーション用発電装置と、前記発電装置からの発電電力を配電線に系統連系するためのインバータと、前記発電装置から発生する熱を回収して温水として貯えるための貯湯装置と、前記発電装置を運転制御するための運転制御手段と、を具備するコージェネレーションシステムの運転制御装置であって、
前記運転制御手段は、電力が供給される電力負荷の電力値を利用して前記発電装置を運転制御するとともに、設定した時間帯情報に基づいて前記発電装置を運転制御し、前記時間帯情報として起動禁止時間帯を設定したときには前記発電装置の継続的稼働運転は許容するが、前記発電装置の起動運転を禁止し、また前記時間帯情報として稼働禁止時間帯を設定したときには前記発電装置の継続的稼働運転及び起動運転を禁止することを特徴とする。
【００１５】
本発明に従えば、運転制御手段は電力負荷の電力値を利用するとともに、設定した時間帯情報に基づいて発電装置を運転制御し、時間帯情報として起動禁止時間帯及び稼働禁止時間帯が設定可能である。起動禁止時間帯では、発電装置の継続的稼働運転は許容されるが、その起動運転が強制的に禁止され、停止状態から起動されることはない。また、稼働禁止時間帯では、発電装置の継続的稼働運転及び起動運転が強制的に禁止され、稼働状態のときには停止し、また停止状態のときには起動されることはない。このような起動禁止時間帯及び稼働禁止時間帯を設定可能にすることによって、発電装置の効率的運転が可能となり、また発電装置の起動、稼働停止の頻度を抑えることができる。
【００１６】
【発明の実施の形態】
以下、添付図面を参照して、本発明に従うコージェネレーションシステムの運転制御装置の実施形態について説明する。
第１の実施形態
まず、図１〜図４を参照して、コージェネレーションシステムの運転制御装置の第１の実施形態について説明する。図１は、コージェネレーションシステムの一例の全体を示す簡略図であり、図２は、図１のコージェネレーションシステムの制御系を簡略的に示すブロック図であり、図３は、図２の制御系による制御を説明するための図であり、図４は、図２の制御系の制御の流れを示すフローチャートである。
【００１７】
図１において、図示のコージェネレーションシステムは、エンジン２（例えばガスエンジン）によって駆動される発電機４を含む発電装置６と、エンジン２にて発生した熱を温水として貯える貯湯装置８とを備え、エンジン２の冷却水から排出される熱が後述する如くして貯湯装置８に貯えられる。発電装置６は、発電機４をエンジン２によって駆動する形態のものに代えて、燃料電池でもよい。
【００１８】
発電装置６の出力側には系統連系インバータ１０が設けらている。このインバータ１０は、発電機４の発電電力を商用系統１２から供給される電力と同じ電圧及び同じ周波数にするものである。商用系統１２は、例えば単相３線式１００／２００Ｖであり、配電線１４を介して電力負荷１６、即ちテレビ、冷蔵庫、洗濯機等の各種電気機器に電気的に接続される。インバータ１０は、コージェネ用配電線１８を介して配電線１４に電気的に接続され、コージェネ用発電装置６にて発生した発電電力がインバータ６及びコージェネ用配電線１８を介して電力負荷１６に供給される。
【００１９】
配電線１４には電力負荷計測手段２２が設けられ、この電力負荷計測手段２２は電力負荷１６の負荷電力を計測する。この電力負荷計測手段２２は、また、配電線１４を通して流れる電流に逆潮流が発生しているか否かを検知し、この形態では、逆潮流が生じないように、発電装置６からインバータ６を介して配電線１４に供給される電力が制御される。貯湯装置８は、温水を貯える貯湯タンク３８と、温水を循環させるための温水循環流路４０とを備えている。温水循環流路４０の一端側は貯湯タンク３８の底部に接続され、その他端側が貯湯タンク３８の上部に接続され、貯湯タンク３８内の温水はこの温水循環流路４０を通して循環される。この温水循環流路４０には、更に、温水を循環するための循環ポンプ４２が設けられている。
【００２０】
温水循環流路４０に関連して、熱交換器４６が配設されている。熱交換器４６は、エンジン２のラジエタ４８からの冷却水を循環させるための冷却水循環流路５０を流れる冷却水と温水循環流路４０を流れる温水との間で熱交換を行うもので、エンジン２からの冷却水によって温水循環流路４０を流れる温水を加熱する。この冷却水循環流路４０には、冷却水を循環させるための循環ポンプ５２が配設されている。
【００２１】
貯湯タンク３８には、水（例えば水道水）を供給するための水供給流路を構成する給水ライン５４が接続され、この給水ライン５４の一端側が貯湯タンク３８の底部に接続され、その他端側は、水道管の如き水供給源（図示せず）に接続されている。この給水ライン５４には減圧逆止弁５６が配設され、貯湯タンク３８から給水ライン５４側に温水が逆流するのを防止する。
【００２２】
貯湯タンク３８には、更に、温水を供給するための温水供給流路を構成する給湯ライン５８が接続されている。給湯ライン５８の一端側は貯湯タンク３８の上部に接続され、その他端側には１個又は複数個のカラン（図示せず）が接続され、カランを開栓すると、貯湯タンク３８内の温水が給湯ライン５８を通して出湯する。
【００２３】
このコージェネレーションシステムは、運転制御手段６０によって作動制御される。図２をも参照して、運転制御手段６０は、例えばマイクロコンピュータから構成され、コージェネレーションシステムの運転制御装置の一部を構成する。図示の運転制御手段６０は、作動制御手段６２、起動信号生成手段６４、停止信号生成手段６６及び平均値演算手段６８を備えている。作動制御手段６２はコージェネレーションシステムの各種構成要素、例えばエンジン２への燃料供給路に配設された電磁弁（図示せず）等を作動制御し、起動信号生成手段６４は発電装置６を起動させるための起動信号を生成し、停止信号生成手段６６は発電装置６の稼働を停止させるための停止信号を生成し、平均値演算手段６８は電力負荷１６の平均電力値を後述する如く演算する。
【００２４】
運転制御手段６０は、更に、第１及び第２メモリ７０，７２を備えている。第１メモリ７０には、起動信号を生成する基準電力となる第１電力値αと、停止信号を生成する基準電圧となる第２電力値βと、平均値演算手段６８によって平均値化する時間範囲である所定時間間隔、例えば３０分が記憶されている。第１電力値αは第２電力値βより大きく、このように設定することによって、発電装置６の起動、稼働停止に所謂ヒステリシス特性を持たせることができる。電力負荷計測手段２２からの計測信号は運転制御手段６０に送給され、かく送給された計測信号の計測データは第２メモリ７２に記憶され、第２メモリ７２に記憶された計測データを用いて平均値演算手段６８は、電力負荷１６の平均電力値を演算する。
【００２５】
運転制御手段６０に関連して入力手段７４が設けられている。入力手段７４は運転開始スイッチ、運転停止スイッチ等の各種操作スイッチ（図示せず）を含み、これらスイッチからの入力信号は運転制御手段６０に送給され、運転制御手段６０はかかる入力信号に基づいてコージェネレーションシステムを運転する。
【００２６】
次に、図１及び図２とともに図４を参照して上述したコージェネレーションシステムの運転制御について説明すると、まず、電力負荷計測手段２２が電力負荷１６の電力を計測し（ステップＳ１）、この計測信号が運転制御手段６０に送給され、この計測データが運転制御手段６０の第２メモリ７２に記憶される。そして、運転制御手段６０の平均値演算手段６８が第２メモリ７２に記憶された計測データを用いて平均電力値を演算する（ステップＳ２）。この形態では、所定時間間隔として例えば３０分が設定され、現時点から３０分前までの３０分間における電力負荷１６の電力の平均値、即ち平均電力値が演算される。
【００２７】
このように平均電力値が演算されると、次に、演算した平均電力値と第１メモリ７０に記憶された第１電力値αとの比較が行われる（ステップＳ３）。上記平均電力値が第１電力値α以上であると、電力負荷１６の負荷状態が大きく、従って発電装置６から発電電力を電力負荷１６に供給するのがよく、このときには、ステップＳ４からステップＳ５に進む。
【００２８】
ステップＳ５では、発電装置６の運転状態の確認が行われ、発電装置６が稼働中であるか否かが判断される（ステップＳ６）。そして、発電装置６が稼働中であるときには、その運転状態を維持し、ステップＳ６からステップＳ１に戻る。一方、発電装置６が停止状態にあると、ステップＳ６からステップＳ７に移り、起動信号生成手段６４が起動信号を生成し、この起動信号に基づいて作動制御手段６２は発電装置６を起動し、発電装置６からの発電電力がインバータ６を介して電力負荷１６に供給される。即ち、作動制御手段６２はエンジン２を起動し、電磁弁（図示せず）が開になって燃料が供給され、発電機４が駆動される。
【００２９】
これに対して、上記平均電力値が第１電力値αより小さいと、ステップＳ４からステップＳ８に移り、演算した平均電力値と第１メモリ７０に記憶された第２電力値βとの比較が行われる（ステップＳ８）。上記平均電力値が第２電力値β以上であると、ステップＳ９からステップＳ１に戻り、発電装置６が稼働状態のときにはその稼働状態が維持され、発電装置６が停止状態のときにはその停止状態が維持される。
【００３０】
一方、上記平均電力値が第２電力値βより小さいと、発電装置６を稼働しても効率が悪くなり、それ故に、このときにはステップＳ１０に進む。ステップＳ１０では、発電装置６の運転状態の確認が行われ、発電装置６が稼働中であるか否かが判断される（ステップＳ１１）。そして、発電装置６が停止状態であるときには、その停止状態が維持され、ステップＳ１に戻る。また、発電装置６が稼働状態にあると、ステップＳ１１からステップＳ１２に進み、停止信号生成手段６６が停止信号を生成し、この停止信号に基づいて作動制御手段６２は発電装置６の稼働を停止し、発電装置６からの発電電力の供給が停止する。即ち、作動制御手段６２は電磁弁（図示せず）を閉にしてエンジン２への燃料供給を停止し、これによってエンジン２を作動停止する。
【００３１】
この形態では、電力負荷１６の電力の平均値を利用して発電装置６を運転制御するので、次の通りの特徴が得られる。図３において、波線は電力負荷計測手段２２の計測電力を示し、実線は平均値演算手段６８の平均電力値を示しており、上述した運転制御では、電力負荷計測手段２２の計測電力が一時的に第１電力値α以上になっても発電装置６が起動せず、電力の平均値が第１電力値α以上になる、即ち図３において時刻Ｔ１になって初めて発電装置６が起動する。また、電力負荷計測手段２２の計測電力が一時的に第２電力値βより小さくなっても発電装置６が稼働停止せず、電力の平均値が第２電力値βより小さくなる、即ち図３において時刻Ｔ２になって初めて発電装置６が稼働停止する。発電装置６はこのように運転制御されるので、発電装置６の起動、稼働停止の頻度が少なくなり、コージェネレーションシステムの耐久性を向上させることができる。
【００３２】
尚、上記第１の実施形態では、電力負荷１６の電力を平均化して発電装置６を制御することと、発電装置６の起動、稼働停止に所謂ヒステリシス特性を持たせることを組み合わせて適用しているが、これらは必ずしも組み合わせる必要はなく、それぞれ単独でコージェネレーションシステムの運転制御に適用することができる。
【００３３】
第２の実施形態
次に、図５及び図６を参照して、コージェネレーションシステムの運転制御装置の第２の実施形態について説明する。図５は、第２の実施形態のコージェネレーションシステムの制御系を簡略的に示すブロック図であり、図６は、図５の制御系の制御の流れを示すフローチャートである。この第２の実施形態においては、電力負荷計測手段の計測電力を用いて運転制御し、また発電装置６を起動した後及び稼働停止した後は所定時間その状態を維持するように構成されている。尚、以下の実施形態において、上記第１の実施形態と実質上同一の構成要素には同一の参照番号を付し、その説明を省略する。
【００３４】
図５において、第２の実施形態における運転制御手段６０Ａは、第１の実施形態の第１メモリ７０に相当するメモリ８２を備え、このメモリ８２に、起動信号を生成する基準電力となる第１電力値α、停止信号を生成する基準電電力となる第２電力値β、起動後に継続して稼働状態を維持する稼働継続時間及び停止後に継続して停止状態を維持する停止継続時間が記憶されている。また、この運転制御手段６０Ａはタイマ８４を含み、タイマ８４は、起動後は稼働継続時間を計時し、また停止後は停止継続時間を計時する。この稼働継続時間及び停止継続時間は、例えば６０分程度と同じ時間に設定してもよいが、異なる時間に設定してもよい。この第２の実施形態のその他の構成は、平均値演算手段６８及び第２メモリ７２が省略されている以外は上記第１の実施形態と実質上同一である。
【００３５】
図５とともに図６を参照して、第２の実施形態の運転制御装置による運転制御について説明すると、まず、電力負荷計測手段２２が電力負荷１６の電力を計測し（ステップＳ２１）、この計測信号が運転制御手段６０Ａに送給され、この計測電力値とメモリ８２に記憶された第１電力値αとの比較が行われる（ステップＳ２２）。上記計測電力値が第１電力値α以上であると、電力負荷１６の負荷状態が大きく、このときには、ステップＳ２３からステップＳ２４に進む。
【００３６】
ステップＳ２４では、発電装置６の運転状態の確認が行われ、発電装置６が稼働中であるか否かが判断される（ステップＳ２５）。そして、発電装置６が稼働中であるときには、その運転状態を維持し、ステップＳ２５からステップＳ２１に戻る。一方、発電装置６が停止状態にあると、ステップＳ２５からステップＳ２６に移り、起動信号生成手段６４が起動信号を生成し、この起動信号に基づいて作動制御手段６２は発電装置６を起動する。そして、かく起動すると、ステップＳ２７に進み、タイマ８４が作動し、タイマ８４が稼働継続時間を計時し、この稼働継続時間を計時する間、運転制御手段６０Ａは発電装置６を強制的に稼働状態に保ち、タイマ８４がタイムアップした後にステップＳ２１に戻る。
【００３７】
これに対して、上記計測電力値が第１電力値α未満であると、ステップＳ２３からステップＳ２９に移り、計測電力値とメモリ８２に記憶された第２電力値βとの比較が行われる（ステップＳ２９）。上記計測電力値が第２電力値β以上であると、ステップＳ３０からステップＳ２１に戻り、発電装置６が稼働運転状態のときにはその稼働運転状態が維持され、発電装置６が停止状態のときにはその停止状態が維持される。
【００３８】
一方、上記計測電力値が第２電力値β未満であると、ステップＳ３１に進む。
ステップＳ３１では、発電装置６の運転状態の確認が行われ、発電装置６が稼働中であるか否かが判断される（ステップＳ３２）。そして、発電装置６が停止状態であるときには、その停止状態が維持され、ステップＳ２１に戻る。また、発電装置６が稼働状態であると、ステップＳ３２からステップＳ３３に進み、停止信号生成手段６６が停止信号を生成し、この停止信号に基づいて作動制御手段６２は発電装置６の稼働を停止する。そして、かく停止すると、ステップＳ３４に進み、タイマ８４が作動し、タイマ８４が停止継続時間を計時し、この停止継続時間を計時する間、運転制御手段６０Ａは発電装置６を強制的に停止状態に保ち、タイマ８４がタイムアップした後にステップＳ２１に戻る。
【００３９】
この第２の実施形態では、起動後に発電装置６を所定の稼働継続時間の間稼働状態に、また停止後に発電装置６を所定の停止継続時間の間停止状態に強制的に維持しているので、例えば稼働継続時間中（又は停止継続時間中）に電力負荷計測手段２２の計測電力が一時的に第２電力値βより小さくなっても（又は第１電力値α以上になっても）発電装置６が稼働停止（又は起動）せず、稼働継続時間（又は停止継続時間）経過後に計測電力値が第２電力値βより小さくなて（又は第１電力値α以上になって）初めて発電装置６が稼働停止（又は起動）する。かくして、このように運転制御しても発電装置６の起動、稼働停止の頻度が少なくなり、コージェネレーションシステムの耐久性を向上させることができる。
【００４０】
尚、上記第２の実施形態では、発電装置１６を起動後に稼働継続時間の間稼働状態に維持することと、発電装置６を停止後に停止継続時間の間停止状態に維持することとを組み合わせて適用しているが、これらは必ずしも組み合わせて適用する必要はなく、それぞれ単独でコージェネレーションシステムの運転制御に適用することができる。また、このような運転制御と第１の実施形態の運転制御、即ち電力負荷１６の平均電力値を利用して運転制御すること及び／又は発電装置６の起動、稼働停止に所謂ヒステリシス特性を持たせることを組み合わせるようにしてもよい。
【００４１】
第３の実施形態
次に、図７及び図８を参照して、コージェネレーションシステムの運転制御装置の第３の実施形態について説明する。図７は、第３の実施形態のコージェネレーションシステムの制御系を簡略的に示すブロック図であり、図８は、図７の制御系による制御を説明するための図である。この第３の実施形態においては、発電装置の起動を禁止する起動禁止時間帯及びその稼働を禁止する稼働禁止時間帯が設定可能に構成されている。
【００４２】
図７において、第３の実施形態における運転制御手段６０Ｂは、起動禁止手段９２及び稼働禁止手段９４を含んでいる。起動禁止手段９２は、設定された起動禁止時間帯において発電装置６の継続的稼働運転は許容するが、発電装置６の起動運転を強制的に禁止し、従って、この起動禁止時間帯では停止信号の生成は許容されるが、起動信号の生成は禁止される。また、稼働禁止手段９４は、設定された稼働禁止時間帯において発電装置６の継続的稼働運転及び起動運転を強制的に禁止し、従って、稼働禁止時間帯の開始時に停止信号が生成され、この稼働禁止時間帯では起動信号の生成が禁止される。運転制御手段６０Ｂは、更に、第２の実施形態におけるメモリ８２に相当するメモリ８２Ｂ及び計時手段９６を備え、入力手段７４を入力操作することによって設定される起動禁止時間帯（その開始時刻及び終了時刻）及び稼働禁止時間帯（その開始時刻及び終了時刻）がメモリ８２Ｂに記憶され、計時手段９６は時刻を計時する。この第３の実施形態のその他の構成は、タイマ８４が省略されている以外は上記第２の実施形態と実質上同一である。
【００４３】
図７とともに図８を参照して、第３の実施形態の運転制御装置による運転制御について説明すると、例えば、時刻ｔ１（例えば午後８時）までが電力負荷１６が大きく、その後の時刻ｔ２（例えば午後１０時）以降に電力負荷１６が再び大きくなる場合、起動禁止時間帯及び稼働禁止時間帯を設定しないときには、図８（ａ）に示すように、運転制御手段６０Ｂは、時刻ｔ１まで発電装置６を稼働運転し、また時刻ｔ２に発電装置６を起動し、この時刻ｔ２以降稼働し、時刻ｔ１から時刻ｔ２の間、発電装置６の運転を停止する。
【００４４】
電力負荷１６のこのような負荷状態において、例えば、特定時間において発電装置６の稼働運転（即ち、起動運転及び稼働運転）を強制的に禁止することを使用者が望む、例えば深夜の時間帯（例えば午後１１時から翌日の午前５時までの時間帯）において騒音発生をなくすために発電装置６の運転の停止を望むとき、入力手段７４を入力操作して稼働禁止時間帯の開始時刻ｔｘ（例えば午後１１時）及びその終了時刻（例えば翌日の午前５時）を設定すればよく、かく設定すると、この稼働禁止時間帯の情報がメモリ８２Ｂに記憶され、運転制御手段６０Ｂは、電力負荷計測手段２２からの計測電力を利用するとともに、設定した稼働禁止の時間帯情報に基づいて発電装置６を運転制御するようになる。即ち、このとき、運転制御手段６０Ｂの稼働禁止手段９４は、設定された稼働禁止時間帯においては発電装置６の起動運転及び稼働運転を禁止するので、図８（ｂ）に示すように、時刻ｔｘ（例えば午後１１時）に停止信号生成手段６６が停止信号を生成し、作動制御手段６２はこの停止信号に基づいて発電装置６を停止し、設定した稼働禁止時間帯における発電装置６の稼働運転が強制的に停止される。また、この稼働禁止時間帯においては、起動信号生成手段６４による起動信号の生成が強制的に禁止され、停止した発電装置６が起動運転されることはない。このように稼働禁止時間帯を設けることによって発電装置６の起動運転及び稼働運転を禁止し、例えば深夜における騒音の発生を確実になくすことができる。
【００４５】
しかし、このように稼働禁止時間帯を設定した場合、その設定時間によっては、次の通りの問題が生じる。即ち、図８（ｂ）から理解される如く、発電装置６は時刻ｔ１において起動し、稼働禁止時間帯の開始時刻である時刻ｔｘで稼働運転停止し、比較的短い時間（この例では１時間）運転されることになり、発電装置６の起動回数が増え、このような運転頻度が多くなると耐久性が低下するおそれがある。
【００４６】
このような運転をなくすためには、電力負荷１６との関連で稼働禁止時間帯の開始時刻を図８（ｃ）で示すように早い時刻ｔｙ（例えば午後７時）に設定すればよい。このように設定した場合、時刻ｔｙ以降において発電装置６の起動運転及び稼働運転が禁止されるので、図８（ｂ）で示したような比較的短時間（この例では時刻ｔ２と時刻ｔｘとの間の運転）の運転がなくなり上述した不都合が解消される。しかしこの場合、発電装置６の稼働時間が短くなり、発電装置６を効率良く運転できなくなるおそれがある。
【００４７】
そこで、稼働禁止時間帯の設定に加えて起動禁止時間帯を設定可能にすることによって、比較的短時間の運転を少なくしながら発電装置６の効率的な運転が可能になる。
例えば、電力負荷１６のこのような負荷状態で上述した稼働禁止時間帯を設定した場合において、更に、例えば、他の特定時間において発電装置６の起動運転を強制的に禁止することを使用者が望む、例えば夜の時間帯（例えば午後７時から稼働禁止時間帯の開始時刻ｔｘまでの時間帯）において発電装置の起動、稼働停止の短時間での繰り返しを少なくするために発電装置６の起動禁止を望むとき、入力手段７４を入力操作して起動禁止時間帯の開始時刻ｔｙ（例えば午後７時）及びその終了時刻（例えば午後１１時）を設定すればよく、かく設定すると、この起動禁止時間帯の情報がメモリ８２Ｂに記憶され、運転制御手段６０Ｂは、電力負荷計測手段２２からの計測電力を利用するとともに、設定した稼働禁止及び起動禁止の時間帯情報に基づいて発電装置６を運転制御する。即ち、このとき、運転制御手段６０Ｂの起動禁止手段９４は、設定された起動禁止時間帯においては発電装置６の起動運転を禁止するのみであるので、図８（ｄ）に示すように、発電装置６が稼働運転中においてはその稼働状態が許容され、時刻ｔ１になって発電装置６の稼働が停止し、そして、一旦停止した後は発電装置６の起動運転が禁止される。このように、稼働禁止時間帯と起動禁止時間帯とを組み合わせて設定することによって、図８（ｂ）及び（ｃ）と図８（ｄ）とを比較することによって容易に理解される如く、発電装置６の起動、稼働停止の回数を抑えながら発電装置６の運転時間を長くすることができ、コージェネレーションシステムを効率よく運転することができる。
【００４８】
この第３の実施形態では、稼働禁止時間帯及び起動禁止時間帯を設定して発電装置を運転制御しているが、このような運転制御に、第１の実施形態及び／又は第２の実施形態の運転制御を組み合わせるようにしてもよい。
以上、本発明に従うコージェネレーションシステムの運転制御装置の各種実施形態について説明したが、本発明はかかる実施形態に限定されるものではなく、本発明の範囲を逸脱することなく種々の変形乃至修正が可能である。
【００５４】
本発明の請求項１のコージェネレーションシステムの運転制御装置によれば、運転制御手段は電力負荷の電力値を利用するとともに、設定する時間帯情報として起動禁止時間帯及び稼働禁止時間帯が設定可能であるので、発電装置の効率的運転が可能となり、また発電装置の起動、稼働停止の頻度を抑えることができる。
【図面の簡単な説明】
【図１】第１の実施形態の運転制御装置を備えたコージェネレーションシステムの一例の全体を示す簡略図である。
【図２】図１のコージェネレーションシステムの制御系を簡略的に示すブロック図である。
【図３】図２の制御系による制御を説明するための図である。
【図４】図２の制御系の制御の流れを示すフローチャートである。
【図５】第２の実施形態の運転制御装置を装備したコージェネレーションシステムの制御系を簡略的に示すブロック図である。
【図６】図５のコージェネレーションシステムの制御系の制御の流れを示すフローチャートである。
【図７】第３の実施形態の運転制御装置を装備したコージェネレーションシステムの制御系を簡略的に示すブロック図である。
【図８】図７のコージェネレーションシステムの制御系による制御を説明するための図である。
【符号の説明】
２  エンジン
４  発電機
６  発電装置
８  貯湯装置
１０  系統連系インバータ
１２  商用系統
１４  配電線
１６  電力負荷
２２  電力負荷計測手段
６０，６０Ａ，６０Ｂ  運転制御手段
６２  作動制御手段
６４  起動信号生成手段
６６  停止信号生成手段
６８  平均値演算手段
８４  タイマ
９２  起動禁止手段
９４  稼働禁止手段
【図１】
0004650864.tif 000002
【図２】
0004650864.tif 000003
【図３】
0004650864.tif 000004
【図４】
0004650864.tif 000005
【図５】
0004650864.tif 000006
【図６】
0004650864.tif 000007
【図７】
0004650864.tif 000008
【図８】
0004650864.tif 000009